(57)【特許請求の範囲】
【請求項１】
一つの局側装置がスターカプラを介して複数の加入者側装置と接続される伝送システムの距離測定制御方法であって、
前記加入者側装置で距離測定の必要が生じた場合に、前記加入者側装置から前記局側装置に対して距離測定要求信号を送出することで、前記加入者側装置側から距離測定シーケンスを開始し、
前記加入者側装置から送出された前記距離測定要求信号を受信した前記局側装置では、距離測定用許可信号を送出し、前記加入者側装置が前記距離測定用許可信号の応答として送出した距離測定用のセルに基づき、前記加入者側装置の位置を認識する、ことを特徴とする距離測定制御方法。
【請求項２】
一つの局側装置がスターカプラを介して複数の加入者側装置と接続される伝送システムの距離測定制御方法であって、
前記加入者側装置が、電源投入状態にあり、且つ非運用状態であり、距離測定を行って運用状態となる場合に、前記加入者側装置から前記局側装置に対して距離測定要求信号を送出することで、前記加入者側装置側から距離測定シーケンスを開始するステップと、
前記局側装置は、前記加入者側装置から前記距離測定要求信号を受信すると、距離測定用許可信号を送出するステップと、
前記加入者側装置が、前記距離測定用許可信号を受信した場合、その応答として距離測定用のセルを前記局側装置に送出するステップと、
前記局側装置では、予め定められた距離測定ウィンドウ内で前記距離測定用のセルを受信した場合に、前記距離測定用のセルを受信した時間から、前記加入者側装置の位置を認識するステップと、
を含む、ことを特徴とする距離測定制御方法。
【請求項３】
一つの局側装置がスターカプラを介して複数の加入者側装置と接続されるシステムにおいて、
前記加入者側装置が、前記加入者側装置で距離測定の必要が生じた場合に、前記局側装置に対して距離測定要求信号を送出し、距離測定シーケンスを開始する制御を行う手段を備え、
前記加入者側装置から送出された前記距離測定要求信号を受信した前記局側装置では、距離測定用許可信号を送出するとともに、前記加入者側装置が前記距離測定用許可信号の応答として送出した距離測定用のセルに基づき、前記加入者側装置の位置の測定を行う手段を備えている、ことを特徴とする距離測定システム。
【請求項４】
一つの局側装置がスターカプラを介して複数の加入者側装置と接続されるシステムにおいて、
前記加入者側装置が、電源投入状態にあり、且つ、非運用状態であり、距離測定を行って運用状態となる場合に、前記加入者側装置から前記局側装置に対して距離測定要求信号を送出することで、前記加入者側装置側から距離測定シーケンスを開始するように制御する手段を備え、
前記局側装置が、前記加入者側装置から前記距離測定要求信号を受信すると、距離測定用許可信号を送出する手段を備え、
前記加入者側装置は、前記局側装置から送出された前記距離測定用許可信号を受信した場合、その応答として距離測定用のセルを前記局側装置に送出する手段をさらに備え、
前記局側装置が、予め定められた距離測定ウィンドウ内で前記距離測定用のセルを受信した場合に、前記距離測定用のセルを受信した時間から、前記加入者側装置の位置を認識する手段を備えている、ことを特徴とする距離測定システム。
【請求項５】
前記局側装置が、前記加入者側装置への下り主信号を送信する手段と、
前記加入者側装置からの上り主信号を受信する手段と、
前記距離測定要求信号を受信する手段と、
前記加入者側装置とのインタフェース処理を行うインタフェース処理手段と、
を備え、
前記インタフェース処理手段は、前記局側装置を前記スターカプラに接続する伝送路からの上り主信号及び距離測定要求信号を分波する手段と、
前記局側装置を前記スターカプラに接続する伝送路への下り主信号を合波する手段と、
を備え、
前記距離測定要求信号を、前記上り主信号と分波して、前記距離測定要求信号を受信する手段へ入力し、距離測定動作を開始する、ことを特徴とする請求項４記載の距離測定システム。
【請求項６】
前記加入者側装置が、前記局側装置からの下り主信号を受信する手段と、
前記局側装置への上り主信号を送信する手段と、
前記距離測定要求信号を生成する手段と、
前記局側装置とのインタフェース処理を行うインタフェース処理手段と、
を備え、
前記インタフェース処理手段は、前記加入者側装置を前記スターカプラに接続する伝送路からの下り主信号を分波する手段と、
前記加入者側装置を前記スターカプラに接続する伝送路への上り主信号と距離測定要求信号を合波して出力する手段と、
を備えている、ことを特徴とする請求項４記載の距離測定システム。
【請求項７】
前記距離測定要求信号として、前記上り主信号の波長とは異なる波長の信号が用いられ、前記主信号と波長多重されて伝送される、ことを特徴とする請求項４記載の距離測定システム。
【請求項８】
前記距離測定要求信号の波長が、前記局側装置に前記スターカプラを介して接続される前記複数の加入者装置に共通に用いられる、ことを特徴とする請求項７記載の距離測定システム。
【請求項９】
前記距離測定要求信号の波長が、前記局側装置に前記スターカプラを介して接続される前記複数の加入者装置の加入者装置毎に異なるものとされる、ことを特徴とする請求項７記載の距離測定システム。
【請求項１０】
一つの局側装置がスターカプラを介して複数の加入者側装置と接続されるシステムの前記加入者側装置において、
電源投入状態にあり、且つ、非運用状態であり、距離測定を行って運用状態となる場合に、前記加入者側装置から前記局側装置に対して距離測定要求信号を送出することで、前記加入者側装置側から距離測定シーケンスを開始するように制御する手段と、
前記加入者側装置は、距離測定要求信号を受信した前記局側装置から送出される前記距離測定用許可信号を受信した場合、その応答として距離測定用のセルを前記局側装置に送出する手段と、
を備えている、ことを特徴とする加入者側装置。
【請求項１１】
前記加入者側装置が、前記局側装置からの下り主信号を受信する手段と、
前記局側装置への上り主信号を送信する手段と、
距離測定要求信号を生成する手段と、
前記局側装置とのインタフェース処理を行うインタフェース処理手段と、
を備え、
前記インタフェース処理手段は、前記加入者側装置を前記スターカプラに接続する伝送路からの下り主信号を分波する手段と、
前記加入者側装置を前記スターカプラに接続する伝送路への上り主信号と距離測定要求信号を合波して出力する手段と、
を備えている、ことを特徴とする請求項１０記載の加入者側装置。
【請求項１２】
一つの局側装置がスターカプラを介して複数の加入者側装置と接続されるシステムの前記局側装置において、
前記加入者側装置が電源投入状態にあり、且つ非運用状態であり、距離測定を行って運用状態となる場合に、前記加入者側装置から送出された距離測定要求信号を受信する手段と、
前記加入者側装置から前記距離測定要求信号を受信すると、距離測定用許可信号を送出する手段と、
前記局側装置から送出された前記距離測定用許可信号を受信した前記加入者側装置からその応答として距離測定用のセルを、予め定められた距離測定ウィンドウ内で、受信した場合に、前記距離測定用のセルを受信した時間から、前記加入者側装置の位置を認識する手段を備えている、ことを特徴とする局側装置。
【請求項１３】
前記局側装置が、前記加入者側装置への下り主信号を送信する手段と、
前記加入者側装置からの上り主信号を受信する手段と、
前記距離測定要求信号を受信する手段と、
前記加入者側装置とのインタフェース処理を行うインタフェース処理手段と、
を備え、
前記インタフェース処理手段は、前記局側装置を前記スターカプラに接続する伝送路からの上り主信号及び距離測定要求信号を分波する手段と、
前記局側装置を前記スターカプラに接続する伝送路への下り主信号を合波する手段と、
を備え、
前記距離測定要求信号を、前記上り主信号と分波して、前記距離測定要求信号を受信する手段へ入力し、距離測定動作を開始する、ことを特徴とする請求項１２記載の局側装置。
【発明の詳細な説明】
【０００１】
【発明の属する技術分野】
本発明は、局側装置とスターカプラを介して接続される加入者装置との間で信号の伝送を行うシステムの距離測定技術に関し、特に、ＡＴＭ−ＰＯＮシステムに適用して好適な距離測定技術に関する。
【０００２】
【従来の技術】
図６は、従来のＡＴＭ（Asynchronous  Transfer  Mode；非同期転送モード）−ＰＯＮ（Passive  Optical  Network）のシステム構成を示す図である。図６を参照すると、局側装置ＯＬＴ１０１は光ファイバ１０４０にてスターカプラ１０３に接続され、スターカプラ１０３で複数の光ファイバ１０４１〜１０４Ｎに分岐し、複数の加入者側装置ＯＮＵ１０２１〜１０２Ｎとの間で信号の伝送を行う。このＡＴＭ−ＰＯＮのシステムでは、スターカプラ１０３で接続された局側装置ＯＬＴ１０１と、複数の加入者側装置ＯＮＵ１０２１、１０２２、…、１０２Ｎ−１、１０２Ｎ間の距離を認識するために、距離測定動作が行われる。局側装置とスターカプラを介して接続される加入者装置との間で信号の伝送を行うシステムの距離測定技術については、例えば特開２０００−３５７９８１号公報等が参照される。
【０００３】
図７は、距離測定の動作原理を説明するための説明図である。図７に示すように、局側装置ＯＬＴから加入者側装置ＯＮＵに対して、距離測定用のｇｒａｎｔ（グラント：許可信号）を送信し、加入者側装置ＯＮＵが距離測定用ｇｒａｎｔに対するレスポンスとして、距離測定用のＰＬＯＡＭ（operation  and  management）セルを、局側装置ＯＬＴに返す。距離測定ウインドウ（ＯＮＵ内部遅延、遅延調整値に基づき設定される）内で距離測定用のＰＬＯＡＭセルを受信した場合、前記距離測定用セルを受信した時間から、前記加入者側装置の位置を認識し、距離測定ウインドウ内で距離測定用のＰＬＯＡＭセルを受信しない場合、距離測定は失敗とする。
【０００４】
距離測定ウィンドウ内で、レスポンスが返れば、距離測定は成功したことになり、局側装置ＯＬＴは、受信した距離測定用ＰＬＯＡＭセルを受信した時間から、加入者側装置ＯＮＵの位置を認識する。
【０００５】
図５は、図６に示した従来のＡＴＭ−ＰＯＮシステムの動作を説明するための流れ図である。局側装置ＯＬＴ１０１が距離測定シーケンス開始し（ステップＢ１）、加入者側装置ＯＮＵ１０２１〜１０２Ｎに対して、距離測定用ｇｒａｎｔ送出して（ステップＢ２）、加入者側装置ＯＮＵが距離測定用ｇｒａｎｔを受信した場合（ステップＢ３のＹＥＳ）、そのレスポンスとして、距離測定用のＰＬＯＡＭセルを、局側装置ＯＬＴ１０１に送出する（ステップＢ４）。局側装置ＯＬＴ１０１では、距離測定ウィンドウ内で、距離測定用のＰＬＯＡＭセルを受信した場合（ステップＢ５のＹＥＳ）、距離測定は成功したことになり（ステップＢ７）、局側装置ＯＬＴ１０１は、受信した距離測定用ＰＬＯＡＭセルを受信した時間から、加入者側装置ＯＮＵの位置を認識する。
【０００６】
上記の通り、従来のＡＴＭ−ＰＯＮシステムにおける距離測定動作では、加入者側装置ＯＮＵの状態に関係無く、局側装置ＯＬＴ１０１が距離測定動作を開始する。このため、加入者側装置ＯＮＵが、例えば電源断時や伝送路障害等により、局側装置ＯＬＴ１０１から送信された距離測定用ｇｒａｎｔを受信することが出来ない場合には（ステップＢ３のＮＯ）、距離測定失敗となる（ステップＢ６）。
【０００７】
また距離測定ウィンドウ内で距離測定用のＰＬＯＡＭセルを受信しなかった場合（ステップＢ５のＮＯ）、距離測定失敗となる（ステップＢ６）。
【０００８】
そして、距離測定が成功し（ステップＢ７）、距離測定の終了（ステップＢ８）となるまで、局側装置ＯＬＴ１０１は、加入者側装置ＯＮＵに対して、距離測定動作を、繰り返し実行することになる。
【０００９】
図８は、距離測定ウィンドウと距離測定用上りＰＬＯＡＭセルの関係を示す図である。局側装置ＯＬＴは、加入者側装置ＯＮＵの位置を認識していないことから、２０ｋｍ対応可能なシステムでは、図８に示すように、６９セル分、上りにセルを送出しない距離測定ウィンドウ領域を確保する。
【００１０】
上記したように、局側装置ＯＬＴ１０１の距離測定動作は、全ての加入者側装置ＯＮＵ１０２１〜１０２Ｎに対して等しく行われる。
【００１１】
局側装置ＯＬＴ１０１では、
・加入者側装置ＯＮＵ１０２１〜１０２Ｎが電源断状態から復旧（回復）したこと、あるいは、
・光ファイバ１０４の切断等の伝送路障害が復旧したということ、
は、距離測定対象の加入者側装置ＯＮＵ１０２１〜１０２Ｎが運用状態となるまで、認識することができない。この結果、全ての加入者側装置ＯＮＵ１０２１〜１０２Ｎが運用状態になるまで、距離測定動作を続ける、ことになる。
【００１２】
【発明が解決しようとする課題】
図７で示したように、距離測定動作中で距離測定ウィンドウが開いている際には、上り方向にセルを送出することは出来ない（距離測定ウィンドウが開いている間、加入者側装置ＯＮＵはセルを送出できない）。従って、加入者側装置ＯＮＵ１０２１〜１０２Ｎのうち、局側装置ＯＬＴ１０１に接続されてはいるが、電源断や伝送路障害により、非運用状態のままの数が多いほど距離測定回数は増加し、距離測定ウィンドウを開くことにより、帯域の無駄が増加する。
【００１３】
そこで、無駄な距離測定動作により開かれる距離測定ウィンドウによる帯域占有率を下げる必要がある。本発明は、かかる課題の認識に基づき、全く新規に創案されたものである。
【００１４】
本発明が解決しようとする課題は、距離測定ウィンドウを開くことにより生じる上り方向の帯域の無駄を改善し、上り帯域の有効活用を実現する距離測定方法及びシステムと装置を提供することにある。
【００１５】
【課題を解決するための手段】
上記した課題を解決するための手段を提供する本発明に係る方法は、局側装置がスターカプラを介して複数の加入者側装置と接続される伝送システムの距離測定制御方法であって、前記加入者側装置が、距離測定を行って運用状態となる場合に、前記加入者側装置から前記局側装置に対して距離測定要求信号を送出し、前記加入者側装置から前記距離測定要求信号を受信した前記局側装置では、距離測定用許可信号（グラント）を送出し、前記加入者側装置が前記距離測定用許可信号の応答として送出した距離測定用のセルに基づき、前記距離測定用セルを受信した時間から、前記加入者側装置の位置の認識を行う。
【００１６】
本発明に係るシステムは、一つの局側装置がスターカプラを介して複数の加入者側装置と接続されるシステムにおいて、前記加入者側装置が、距離測定を行って運用状態となる場合に、前記加入者側装置から前記局側装置に対して距離測定要求信号を送出することで距離測定シーケンスを開始する制御を行う手段を備え、前記加入者側装置から前記距離測定要求信号を受信した前記局側装置では、距離測定用許可信号を送出し、前記加入者側装置が前記距離測定用許可信号の応答として送出した距離測定用のセルに基づき、前記距離測定用セルを受信した時間から、前記加入者側装置の位置の認識を行う手段を備えている。
【００１７】
【発明の実施の形態】
本発明の実施の形態について説明する。本発明は、ＡＴＭ−ＰＯＮシステムにおいて、距離測定開始指示を、加入者側装置ＯＮＵから、局側装置ＯＬＴへ通知する構成としたことにより、上りの帯域を、有効活用できるようにしたものである。
【００１８】
本発明は、局側装置ＯＬＴと加入者側装置ＯＮＵ間で行われる距離測定動作を、距離測定が必要な場合に、加入者側装置ＯＮＵから、局側装置ＯＬＴに対して、距離測定要求を通知し、この通知が行われた場合のみに、距離測定動作が行うようにしており、電源断時や、光ファイバの切断等の伝送路障害により、長期に渡り、加入者側装置ＯＮＵの起動が出来ない場合には、距離測定動作開始指示は送信されず、両装置間の帯域の有効活用を可能としている。
【００１９】
本発明に係る方法は、その好ましい一実施の形態において、一つの局側装置ＯＬＴがスターカプラを介して複数の加入者側装置ＯＮＵと接続されており、
（ａ）加入者側装置ＯＮＵが、電源投入状態にあり、且つ非運用状態であり、距離測定を行って運用状態となる場合に、前記加入者側装置ＯＮＵ側から距離測定シーケンスを開始し、前記加入者側装置ＯＮＵから局側装置ＯＬＴに対して距離測定要求信号を送出するステップと、
（ｂ）局側装置ＯＬＴは、前記加入者側装置ＯＮＵから前記距離測定要求信号を受信すると、距離測定用グラント（ｇｒａｎｔ）を送出するステップと、
（ｃ）加入者側装置ＯＮＵが前記距離測定用グラントを受信した場合、その応答として距離測定用のセルを局側装置ＯＬＴに送出するステップと、
（ｄ）局側装置ＯＬＴが、距離測定ウィンドウ内で前記距離測定用のセルを受信した場合に、前記距離測定用セルを受信した時間から加入者側装置ＯＮＵの位置を認識するステップと、を含む。
【００２０】
本発明に係るシステムは、その好ましい一実施の形態において、一つの局側装置ＯＬＴがスターカプラを介して複数の加入者側装置ＯＮＵと接続されており、加入者側装置ＯＮＵは、電源投入状態にあり、且つ非運用状態であり、距離測定を行って運用状態となる場合に、加入者側装置ＯＮＵ側から距離測定シーケンスを開始し、加入者側装置ＯＮＵから局側装置ＯＬＴに対して距離測定要求信号を送出する手段を備えている。局側装置ＯＬＴは、加入者側装置ＯＮＵから前記距離測定要求信号を受信すると、距離測定用グラント信号を送出する手段を備えている。加入者側装置ＯＮＵは、局側装置ＯＬＴから送出された前記距離測定用グラント信号を受信した場合、その応答として距離測定用のセルを前記局側装置に送出する手段を備えている。局側装置ＯＬＴは、距離測定ウィンドウ内で前記距離測定用のセルを受信した場合に、距離測定用セルを受信した時間から、加入者側装置ＯＮＵの位置を認識する。
【００２１】
【実施例】
本発明の実施の形態についてさらに詳細に説明すべく、本発明の実施例について図面を参照して以下に説明する。図１は、本発明の一実施例の構成を示す図である。図１を参照すると、本発明の一実施例は、局側装置ＯＬＴ１と、スターカプラ３により接続される加入者側装置ＯＮＵ２１〜２Ｎから構成されるＡＴＭ−ＰＯＮに、本発明を実施したものである。局側装置ＯＬＴ１は、下り主信号送信部１１と、上り主信号受信部１２と、距離測定要求信号受信部１３と、ＩＦ（インタフェース）処理部１４と、を備えている。加入者側装置ＯＮＵ２１〜２Ｎは、下り主信号受信部２１と、上り主信号送信部２２と、距離測定要求信号生成部２３と、ＩＦ（インタフェース）処理部２４と、を備えている。
【００２２】
図２は、図１の局側装置ＯＬＴ１の構成を示す図である。図２を参照すると、局側装置ＯＬＴ１は、下り主信号送信部１１と、上り主信号受信部１２と、距離測定要求信号受信部１３と、加入者側装置ＯＮＵとのインタフェース処理を行うＩＦ処理部１４と、を備え、ＩＦ処理部１４は、光波長分波器１５、１６を備え、光ファイバ４から上り主信号及び距離測定要求信号を、光波長分波器１５、１６を通じて分波し、下り主信号を光ファイバ４へ合波している。距離測定要求信号を光波長分波器１６にて上り主信号と分波して距離測定要求受信部１３へ入力し距離測定動作を開始する。
【００２３】
図３は、図１の加入者側装置ＯＮＵ２１〜２Ｎの構成を示す図である。加入者側装置ＯＮＵ２１〜２Ｎは同一の構成とされている。図３を参照すると、加入者側装置ＯＮＵ２は、下り主信号受信部２１と、上り主信号送信部２２と、距離測定要求信号生成部２３と、局側装置ＯＬＴ１とのインタフェース処理を行うＩＦ処理部２４と、を備え、ＩＦ処理部２４は、光ファイバ４から下り主信号を光波長分波器２６を通じて分波し、光カプラ２５で上り主信号と距離測定要求信号を合波したものを光ファイバ４へ合波している。
【００２４】
図４は、本実施例の動作を説明するための流れ図である。図４を参照すると、本実施例においては、加入者側装置ＯＮＵ２が、電源投入・非運用状態であり（ステップＡ１）、距離測定を行って運用状態になる必要がある場合に、距離測定シーケンスを開始し（ステップＡ２）、加入者側装置ＯＮＵ２から、局側装置ＯＬＴ１に対して距離測定要求信号を送出する（ステップＡ３）。
【００２５】
局側装置ＯＬＴ１は、加入者側装置ＯＮＵ２から距離測定要求信号を受信すると（ステップＡ４）、局側装置ＯＬＴ１は、距離測定用ｇｒａｎｔ（グラント；許可信号）を送出する（ステップＡ５）。
【００２６】
加入者側装置ＯＮＵ２が距離測定用ｇｒａｎｔを受信した場合（ステップＡ６のＹＥＳ）、レスポンスとして、距離測定用のＰＬＯＡＭセルを、局側装置ＯＬＴ１に送出する（ステップＡ７）。距離測定ウィンドウ内で距離測定用のＰＬＯＡＭセルを受信した場合（ステップＡ８のＹＥＳ）、距離測定は成功したことになり（ステップＡ１０）、局側装置ＯＬＴ１は、受信した距離測定用ＰＬＯＡＭセルを受信した時間から、加入者側装置ＯＮＵ２の位置を認識する。
【００２７】
距離測定ウィンドウ内で距離測定用のＰＬＯＡＭセルを受信しなかった場合（ステップＡ８のＮＯ）、距離測定失敗となる（ステップＡ９）。また、ステップＡ６で距離測定用ｇｒａｎｔを受信しなかった場合にも、距離測定失敗となる（ステップＡ９）。
【００２８】
本実施例では、加入者側装置ＯＮＵ２から距離測定動作のトリガを与えることで、電源断状態や伝送路障害等で距離測定動作を実行しても失敗するような場合には、距離測定動作は行われない。
【００２９】
このため、本実施例によれば、図５に示される従来のＡＴＭ−ＰＯＮシステムのように、不要な距離測定動作を繰り返すことは無く、帯域の有効活用が可能となる。
【００３０】
図１乃至図３を参照して、本実施例についてさらに詳細に説明する。スターカプラ３を介して局側装置ＯＬＴ１と接続される加入者側装置ＯＮＵ２１〜２Ｎは、
・電源投入状態であり、
・非運用状態であり、かつ、
・伝送路の障害等により検出される警報が検出されていない、
という条件で、運用開始等のために、距離測定を行う必要がある場合にのみ、距離測定要求信号生成部２３で距離測定要求信号を生成して出力する。
【００３１】
加入者側装置ＯＮＵ２１〜２Ｎの電源断時、また光ファイバ４等の伝送路警報等により検出される警報を検出時には、距離測定要求が出力されない。
【００３２】
局側装置ＯＬＴ１は、スターカプラ３を介して接続される複数の加入者系装置ＯＮＵ２１〜２Ｎのうち、電源断状態の加入者系装置ＯＮＵに対して、不要な距離測定動作は行わない。局側装置ＯＬＴ１は、加入者側装置ＯＮＵ２１〜２Ｎの距離測定要求信号生成部２３により生成された距離測定要求信号を、距離測定要求信号受信部１３で受信した場合にのみ、距離測定を開始することで、電源断・伝送路障害等による長時間の起動不可能状態中の加入者側装置ＯＮＵ２１〜２Ｎに対する距離測定動作により生じる帯域の無駄を改善することができる。
【００３３】
また、加入者装置ＯＮＵ２１〜２Ｎの距離測定要求信号生成部２３が送出する距離測定要求信号は、ＩＦ処理部２４の光カプラ２５、光波長分波器２６を介して、光ファイバ４に出力され、上下の主信号と同一の光ファイバ４を伝送される。
【００３４】
このため、上下の主信号と、距離測定要求信号が衝突し主信号データが損なわれないために、距離測定要求信号としては、主信号導通に用いられている波長とは、異なる波長の信号が用いられ、波長多重されて伝送される。
【００３５】
距離測定要求信号の波長は、全加入者装置ＯＮＵ２１〜２Ｎに共通に使用される。
【００３６】
そして、局側装置ＯＬＴ１の距離測定要求信号受信部１３で距離測定要求信号の入力が検出されている間は、局側装置ＯＬＴ１では、距離測定動作を行う。距離測定要求信号入力が終了したら、距離測定動作を停止する。
【００３７】
本発明の別の実施例として、距離測定要求信号の波長を、接続加入者側装置ＯＮＵ毎に変更するようにしてもよい。加入者系装置ＯＮＵ毎に、距離測定要求信号の使用波長が異なる場合、距離測定要求信号を送出している加入者系装置ＯＮＵを特定することができる。このため、１回の距離測定動作で、確実に該当加入者系装置ＯＮＵを起動することが可能である。
【００３８】
加入者側装置ＯＮＵ２と、局側装置ＯＬＴ１間の距離測定時に使用される距離測定ウィンドウにおいて、実際に必要とされるのは、上りＰＬＯＡＭセルを受信するウィンドウだけであるため、距離測定対象加入者装置ＯＮＵが電源断・伝送路障害等により距離測定が失敗した場合に使用された距離測定ウィンドウは無駄に帯域を占有していることになる。
【００３９】
そこで、本実施例では、上記した通り、各加入者装置ＯＮＵ２が電源入力され、非運用状態時であり、かつ、伝送路障害等により検出される警報が検出されていない場合にのみ、局側装置ＯＬＴ１に対して、距離測定要求信号を送出し、局側装置ＯＬＴ１は、距離測定要求信号受信時のみ距離測定動作を行うことで、距離測定動作による無駄な帯域占有を排除し、帯域の有効活用を可能としている。
【００４０】
次に、局側装置ＯＬＴ１が加入者側装置ＯＮＵ２に対して、１００ｍｓ（ミリ秒）に１回距離測定動作を行い、局側装置ＯＬＴ１と加入者側装置ＯＮＵ２間の最大距離が２０ｋｍであるシステムにおいて、加入者側装置ＯＮＵが故障の修理のために、１時間電源断状態である場合について、本実施例の作用効果について説明する。
【００４１】
従来のシステムにおいて、２０ｋｍの距離測定を行うには、６９セルの距離測定ウィンドウを開く必要があることから、この場合、１００ｍｓ（ミリ秒）間に、６９セル距離測定ウィンドウを１回開く。この場合、１時間当たりでは、３６０００回距離測定動作を行うことになる。１回の距離測定動作で、６９セル距離測定ウィンドウを開くことから、６９×３６００＝２４８４０００セル（約２百万セル）が無用な距離測定に使用されることになる。これは、帯域換算すると、１セルは５３オクテットより、約１１０Ｍ（メガ）に相当する。つまり、１時間中に約１１０Ｍの帯域の無駄が発生したこととなる。
【００４２】
さらに２台、３台と電源断や伝送路障害により、距離測定の失敗が発生した場合、その台数分に比例して（リニアに）、帯域の無駄が発生する。
【００４３】
これに対して、本実施例によれば、加入者側装置ＯＮＵが、電源投入状態であり、非運用状態、かつ伝送路障害等による警報を未検出時に送出される距離測定要求信号の入力が発生した場合のみ、局側装置ＯＬＴが距離測定を行う構成とされており、従来のシステムと比べて、距離測定時の無駄を特段に改善することが可能となる。
【００４４】
【発明の効果】
以上説明したように、本発明によれば、局側装置ＯＬＴと加入者側装置ＯＮＵ間で行われている距離測定動作を距離測定が必要な場合に、加入者側装置ＯＮＵ側から、局側装置ＯＬＴに対して距離測定要求を通知し、この通知が行われた場合にのみ、距離測定動作が行われる構成とし、電源断時や、光ファイバの切断等の伝送路障害により、長期に渡り加入者側装置ＯＮＵの起動が出来ない場合には、距離測定動作開始の指示は送信されず、このため、両装置間の帯域の有効活用を可能とするという顕著な効果を奏する。
【図面の簡単な説明】
【図１】本発明の一実施例の構成を示す図である。
【図２】本発明の一実施例の局側装置ＯＬＴの構成を示す図である。
【図３】本発明の一実施例の加入者側装置ＯＮＵの構成を示す図である。
【図４】本発明の一実施例の動作を説明するための流れ図である。
【図５】従来のシステムの動作を説明するための流れ図である。
【図６】従来のシステムの構成を示す図である。
【図７】従来のシステムにおける距離測定用グラント、距離測定用上りセル、距離測定ウインドウのタイミング関係示す模式図である。
【図８】距離測定ウィンドウと距離測定用上りＰＬＯＡＭセルの関係を示す図である。
【符号の説明】
１  局側装置ＯＬＴ
２、２１〜２Ｎ  加入者側装置ＯＮＵ
３  スターカプラ
４、４１〜４Ｎ  光ファイバ
１１  下り主信号送信部
１２  上り主信号受信部
１３  距離測定要求信号受信部
１４  ＩＦ処理部
１５、１６  光波長分波器
２１  下り主信号受信部
２２  上り主信号送信部
２３  距離測定要求信号生成部
２４  ＩＦ処理部
２５  光カプラ
２６  光波長分波器
１０１  局側装置ＯＬＴ
１０２１〜１０２Ｎ  加入者側装置ＯＮＵ
１０３  スターカプラ
１０４0〜１０４Ｎ  光ファイバ
【図１】
0003651426.tif 000002
【図２】
0003651426.tif 000003
【図３】
0003651426.tif 000004
【図４】
0003651426.tif 000005
【図５】
0003651426.tif 000006
【図６】
0003651426.tif 000007
【図７】
0003651426.tif 000008
【図８】
0003651426.tif 000009